(57)【要約】【課題】搬送上の支障を来すことなく、予め形成した屋根用トラス梁を、建築施工現場において一スパンで安定した状態で架設設置することを可能にする屋根用トラス梁の据付構造を提供する。【解決手段】棟１２と垂直な面に沿って配置されて屋根部分１０の骨組みを構成する屋根用トラス梁１３を、住宅建築物１１の壁構造１５に支持させて屋根部分１０に据付けるための屋根用トラス梁１３の据付構造であって、屋根用トラス梁１３を、これの頂部から下弦材１６に降した垂線Ｘにより２分割した左右一対の分割トラス１７，１７によって構成する。屋根用トラス梁１３の据付時には、一対の分割トラス１７，１７の下弦材１６，１６の節点部分１９，１９に跨って取付けられて当該節点部分１９，１９における連結状態を引離そうとする荷重に抵抗する接合金物２０を介して、一対の分割トラス１７，１７を接合一体化する。【選択図】　　　　図２
2004084353.tif 000002
【特許請求の範囲】
【請求項１】
棟と垂直な面に沿って配置されて住宅建築物の屋根部分の骨組みを構成する屋根用トラス梁を、住宅建築物の壁構造に支持させて屋根部分に据付けるための屋根用トラス梁の据付構造であって、
前記屋根用トラス梁を、これの頂部から底辺部の下弦材に降した垂線により２分割した左右一対の分割トラスによって構成し、
前記屋根用トラス梁の据付時には、前記一対の分割トラスの下弦材の節点部分に跨って取付けられて当該節点部分における連結状態を引離そうとする荷重に抵抗する接合金物を介して、前記一対の分割トラスを接合一体化することを特徴とする屋根用トラス梁の据付構造。
【請求項２】
前記屋根用トラス梁は、住宅の屋根部分を棟と垂直な方向の分割面によって複数に分割した領域を占める形状に形成された屋根ユニットに組込まれて、前記分割面に沿って配置されるものであり、前記屋根ユニットは、前記屋根用トラス梁を２分割する前記垂線に沿った垂直面によって左右一対の分割屋根ユニットに２分割される請求項１記載の屋根用トラス梁の据付構造。
【請求項３】
前記接合金物は、前記一対の分割トラスの下弦材の各節点部分に予め取付けられたボルト締着部材と、これらのボルト締着部材に跨って締結されるボルト部材とからなることを特徴とする請求項１又は２に記載の屋根用トラス梁の据付構造。
【請求項４】
前記ボルト締着部材は、前記各節点部分において前記下弦材を挟んで両側の側面の対称となる位置に表裏一対取付けられていると共に、該表裏一対のボルト締着部材は、前記下弦材と垂直に交差する橋渡し部材を介して連結されており、且つ前記下弦材を挟んで両側に配置された一対の前記ボルト部材が、前記表裏一対のボルト締着部材に跨って各々締結されることを特徴とする請求項３に記載の屋根用トラス梁の据付構造。
【請求項５】
前記ボルト締着部材は添設固定プレートを有していて、該添設固定プレートを介して前記下弦材の両側の側面に取付けられており、且つ前記各節点部分において、表裏の前記添設固定プレートに跨って前記下弦材を貫通するネジ、ボルト、ビス、釘等のプレート固定用棒状部材を取付けることにより、前記表裏一対のボルト締着部材が二面せん断構造によって前記下弦材の各節点部分に固定されることを特徴とする請求項４に記載の屋根用トラス梁の据付構造。
【請求項６】
請求項１〜５のいずれかに記載の屋根用トラス梁の据付構造に適用される屋根用トラス梁の据付方法であって、
前記一対の分割トラス又は前記一対の分割屋根ユニットを各々吊上げて、前記住宅建築物の壁構造の上方に搬送し、
該壁構造の上方において、前記分割トラスの下弦材の節点部分を前記接合金物を介して連結して、前記一対の分割トラス又は前記一対の分割屋根ユニットを接合一体化すると共に、前記壁構造に両端を支持させて前記屋根用トラス梁又は前記屋根ユニットを屋根部分に据付けることを特徴とする屋根用トラス梁の据付方法。
【発明の詳細な説明】
【０００１】
【発明の属する技術分野】
本発明は、屋根用トラス梁の据付構造及び据付方法に関し、特に棟と垂直な面に沿って配置される屋根用トラス梁を壁構造に支持させて屋根部分に据付けるための屋根用トラス梁の据付構造及び据付方法に関する。
【０００２】
【従来の技術及び発明が解決しようとする課題】
屋根用トラス梁は、三角形や台形等の底辺部に配置される下弦材と、三角形や台形等の頂部やこれを挟んだ両側の斜辺部に配置される上弦材と、下弦材と上弦材との間に介在して配置されるトラス束材やトラス斜束材とからなり、一般に扁平な略三角形や略台形等の正面形状を有している。このような屋根用トラス梁によれば、両端を住宅建築物の壁構造等に支持させて、大スパンの梁として安定した状態で容易に設置することが可能になり、また構造的にも有利であることから、特に木造住宅建築物の屋根部分の骨組みを形成する部材として有効である。
【０００３】
また、このような屋根用トラス梁は、その組立作業の効率化や高精度化を図るべく、工場等において予め組立て形成した後に、建築施工現場に搬送して住宅の屋根部分に据付けることが好ましい。特に、予め形成した複数の住宅ユニットを建築施工現場で組立てて構築するユニット住宅においては、このような屋根用トラス梁を組込んで屋根ユニットを形成することにより、ユニット住宅の屋根部分をさらに効率良く形成することが可能になる。
【０００４】
上述のように、屋根用トラス梁やこれを組込んだ屋根ユニットは、大スパンのものとして形成することができ、また略三角形や略台形等の正面形状の両端を両側の壁構造等に支持させて、一スパンで、且つ安定した状態で屋根部分に架設設置することが可能であるが、その一方で、大スパンの屋根用トラス梁や屋根ユニットは、搬送上その大きさが制限されることから、このような構造的に有利な大スパンの屋根用トラス梁やこれを組込んだ屋根ユニットを用いた効率の良い屋根部分の骨組構造の施工が行われていなかった。
【０００５】
本発明は、このような従来の課題に着目してなされたものであり、搬送上の支障を来すことなく、予め形成した屋根用トラス梁やこれを組込んだ屋根ユニットを、建築施工現場において一スパンで安定した状態で且つ容易に屋根部分に架設設置することを可能にする屋根用トラス梁の据付構造及び据付方法を提供することを目的とする。
【０００６】
【課題を解決するための手段】
本発明は、棟と垂直な面に沿って配置されて住宅建築物の屋根部分の骨組みを構成する屋根用トラス梁を、住宅建築物の壁構造に支持させて屋根部分に据付けるための屋根用トラス梁の据付構造であって、前記屋根用トラス梁を、これの頂部から底辺部の下弦材に降した垂線により２分割した左右一対の分割トラスによって構成し、前記屋根用トラス梁の据付時には、前記一対の分割トラスの下弦材の節点部分に跨って取付けられて当該節点部分における連結状態を引離そうとする荷重に抵抗する接合金物を介して、前記一対の分割トラスを接合一体化することを特徴とする屋根用トラス梁の据付構造を提供することにより、上記目的を達成したものである（請求項１記載の発明）。
【０００７】
そして、本発明の屋根用トラス梁の据付構造によれば、前記屋根用トラス梁は、住宅の屋根部分を棟と垂直な方向の分割面によって複数に分割した領域を占める形状に形成された屋根ユニットに組込まれて、前記分割面に沿って配置されるものであり、前記屋根ユニットは、前記屋根用トラス梁を２分割する前記垂線に沿った垂直面によって左右一対の分割屋根ユニットに２分割されることが好ましい（請求項２記載の発明）。
【０００８】
また、本発明の屋根用トラス梁の据付構造によれば、前記接合金物は、前記一対の分割トラスの下弦材の各節点部分に予め取付けられたボルト締着部材と、これらのボルト締着部材に跨って締結されるボルト部材とからなることが好ましい（請求項３記載の発明）。
【０００９】
さらに、本発明の屋根用トラス梁の据付構造によれば、前記ボルト締着部材は、前記各節点部分において前記下弦材を挟んで両側の側面の対称となる位置に表裏一対取付けられていると共に、該表裏一対のボルト締着部材は、前記下弦材と垂直に交差する橋渡し部材を介して連結されており、且つ前記下弦材を挟んで両側に配置された一対の前記ボルト部材が、前記表裏一対のボルト締着部材に跨って各々締結されることが好ましい（請求項４記載の発明）。
【００１０】
さらにまた、本発明の屋根用トラス梁の据付構造によれば、前記ボルト締着部材は添設固定プレートを有していて、該添設固定プレートを介して前記下弦材の両側の側面に取付けられており、且つ前記各節点部分において、表裏の前記添設固定プレートに跨って前記下弦材を貫通するネジ、ボルト、ビス、釘等のプレート固定用棒状部材を取付けることにより、前記表裏一対のボルト締着部材が二面せん断構造によって前記下弦材の各節点部分に固定されることが好ましい（請求項５記載の発明）。
【００１１】
また、本発明は、上記いずれかに記載の屋根用トラス梁の据付構造に適用される屋根用トラス梁の据付方法であって、前記一対の分割トラス又は前記一対の分割屋根ユニットを各々吊上げて、前記住宅建築物の壁構造の上方に搬送し、該壁構造の上方において、前記分割トラスの下弦材の節点部分を前記接合金物を介して連結して、前記一対の分割トラス又は前記一対の分割屋根ユニットを接合一体化すると共に、前記壁構造に両端を支持させて前記屋根用トラス梁又は前記屋根ユニットを屋根部分に据付けることを特徴とする屋根用トラス梁の据付方法を提供することにより、上記目的を達成したものである（請求項６記載の発明）。
【００１２】
【発明の実施の形態】
本発明の好ましい実施形態を添付図面を参照しつつ詳細に説明する。図１〜図４に示す本発明の一実施形態に係る屋根用トラス梁の据付構造は、例えば屋根部分１０が寄棟屋根となった木造住宅建築物である例えば在来軸組構法や枠組壁造構法によるユニット住宅１１において、当該寄棟屋根による屋根部分１０を効率良く組立ててゆくための構造として採用されたものである。
【００１３】
すなわち、本実施形態の屋根用トラス梁の据付構造は、図１及び図２に示すように、棟１２と垂直な面に沿って配置されてユニット住宅１１の屋根部分１０の骨組みを構成する略三角形の正面形状を有する屋根用トラス梁１３を、ユニット住宅１１の居室部分１４の壁構造１５に支持させてこれの上方に据付けるための据付構造である。また本実施形態の据付構造によれば、屋根用トラス梁１３は、略三角形の頂部から底辺部の下弦材１６に下ろした垂線Ｘ（図２参照）により２分割した略直角三角形の正面形状を有する左右一対の分割トラス１７，１７によって構成されている。これらの一対の分割トラス１７，１７は、垂線Ｘに沿って配置されるトラス束材１８，１８を各々有している。
【００１４】
そして、屋根用トラス梁１３の据付時には、一対の分割トラス１７，１７のトラス束材１８，１８を並設配置すると共に、下弦材１６，１６の節点部分１９，１９に跨って取付けられて当該節点部分１９，１９における連結状態を引離そうとする荷重に抵抗する接合金物２０を介して、一対の分割トラス１８，１８を接合一体化する。
【００１５】
また、本実施形態によれば、屋根用トラス梁１３は、図１に示すように、ユニット住宅１１の屋根部分１０を棟１２と垂直な方向の分割面によって分割した複数の領域のうち、両端を除く中間部分の少なくとも１箇所の領域を占める形状に形成された屋根ユニット２１に組込まれて、棟１２と垂直な分割面に沿って配置されるものであり、また屋根ユニット２１は、屋根用トラス梁１３を２分割する垂線Ｘ（図２参照）に沿った垂直面によって左右一対の分割屋根ユニット２２，２２に２分割されている。
【００１６】
本実施形態によれば、屋根用トラス梁１３が組込まれる屋根ユニット２１は、図１及び図２に示すように、正面から視て扁平な略２等辺三角形の形状を有する住宅ユニットであって、予め工場等において対称形状に組立てられた左右一対の分割屋根ユニット２２，２２を、建築施工現場において接合一体化することによって形成されることになる。各分割屋根ユニット２２，２２は、立体形状の小屋組を有しており、この小屋組は、略直角三角形の枠状に形成された分割トラス１７を一対前後に向かい合わせて平行に並べて配置すると共に、小屋組の上面に取付けられる屋根パネル２５のパネル枠を兼ねる複数の横枠材２６及び縦枠材２７を介して、向かい合わせた分割トラス１７を連結一体化することによって立体形状に形成されている。
【００１７】
そして、屋根用トラス梁１３を構成する分割トラス１７，１７は、上述のように分割屋根ユニット２２，２２に前後に平行に並べて組込まれると共に、各領域の間の分割面に沿うように取付けられることにより、棟１２と垂直な面に沿って各々配置されることになる。本実施形態によれば、各分割トラス１７，１７は、図２に示すように、略２等辺三角形を２分割した略直角三角形の底辺部に配置される下弦材１６と、斜辺部に配置される上弦材２８と、下弦材１６と上弦材２８の端部同士を連結するように垂線Ｘに沿って配置されるトラス束材１８とからなる枠体の内側に、トラス斜束材２９及び中間トラス束材３０を取付けて形成されるものである。下弦材１６、上弦材２８、トラス束材１８、トラス斜束材２９、及び中間トラス束材３０は、これらの各接合節点部において緊結金物等を介して接合されることにより、強固なトラス構造を構成している。またこのようなトラス構造を補強するために、トラス座屈止め、トラス振れ止め等が適宜取付けられている。
【００１８】
これらの分割屋根ユニット２２，２２及び分割トラス１７，１７は、各分割トラス１７，１７における下弦材１６とトラス束材１８との接合節点部分でもある下弦材１６，１６の節点部分１９，１９に跨って取付けられる接合金物２０を介して、屋根ユニット２１或いは屋根用トラス梁１３として接合一体化されることになる。なお、各分割トラス１７，１７における上弦材２８とトラス束材１８との接合節点部分でもある上弦材２８，２８の節点部分４０，４０にもまた、接合用緊結金物４１が取り付けられて、分割屋根ユニット２２，２２や分割トラス１７，１７を安定した状態で接合一体化させることができるようになっている。
【００１９】
そして、本実施形態によれば、接合金物２０は、図３（ａ），（ｂ）及び図４に示すように、一対の分割トラス１７，１７の下弦材１６，１６の各節点部分１９，１９に予め取付けられたボルト締着部材２３，２３と、これらのボルト締着部材２３，２３に跨って締結されるボルト部材２４とによって構成されている。
【００２０】
また、本実施形態によれば、ボルト締着部材２３，２３は、一対の分割トラス１７，１７の各節点部分１９，１９において下弦材１６，１６を挟んだ両側の側面の対称となる位置に表裏一対取付けられている。これらの表裏一対のボルト締着部材２３，２３は、下弦材１６，１６と垂直に交差する橋渡し部材としてのフラットバー３５を介して連結されており、且つ下弦材１６，１６を挟んで両側に配置された一対のボルト部材２４が、表裏一対のボルト締着部材２３，２３に跨って各々締結されることになる。
【００２１】
さらに、本実施形態によれば、ボルト締着部材２３，２３は添設固定プレート３１，３１を有していて、これらの添設固定プレート３１，３１を介してボルト締着部材２３，２３が下弦材１６，１６の両側の側面に各々取付けられることになる。また各節点部分１９，１９において、表裏一対の添設固定プレート３１，３１に跨って、下弦材１６，１６を貫通するプレート固定用棒状部材としての例えば固定ネジ又はボルト３４を複数締付けて取付けることにより、表裏一対のボルト締着部材２３，２３が二面せん断構造によって下弦材１６，１６の各節点部分１９，１９に各々固定されることになる。
【００２２】
そして、本実施形態によれば、各ボルト締着部材２３は、金属製の部材であって、上述のように、横長矩形形状の添設固定プレート３１と、この添設固定プレート３１の接合部側の一端部に溶着固定されるコの字断面形状の締結台座３２とによって構成されている。
【００２３】
添設固定プレート３１は、例えば長さ１５０〜６００ｍｍ、巾６０〜１４０ｍｍ程度の大きさの横長矩形形状を備えると共に、縦横に整列配置されて穿孔形成された複数のネジ又はボルト挿通孔を有しており、この添設固定プレート３１を節点部分１９における下弦材１６の下側縁部に沿って配置しつつ、固定ネジ又はボルト３４を締付けることにより、下弦材１６の表裏両側に一対のボルト締着部材２３が各々取付けられることになる。すなわち、複数の固定ネジ又はボルト３４を下弦材１６を貫通させつつ各ネジ又はボルト挿通孔に挿通し、表裏一対の添設固定プレート３１，３１に跨るようにして締付けることにより、下弦材１６を挟んだ節点部分１９の表裏両側に、一対のボルト締着部材２３が固定プレート３１を介して強固に密着固定されることになる。これによって、表裏一対のボルト締着部材２３，２３は、二面せん断構造により下弦材１６，１６の各節点部分１９，１９に各々固定されることになる。
【００２４】
締結台座３２は、ボルト締結孔３８が形成された中央締結フランジ部３３（図４参照）を、接合される他方の分割トラス１７側に向けて添設固定プレート３１の端部から外側に飛び出した状態で配置し、且つそのコの字断面の開口側を接合される他方の分割トラス１７と反対側に向けて配置した状態で、添設固定プレート３１に一体接合される。また、中央締結フランジ部３３の裏側には、添設固定プレート３１から外側に飛び出した部分において、下弦材１６，１６の端面に沿ってこれと垂直に交差して取付けられるフラットバー３５が、表裏一対のボルト締着部材２３，２３の締結台座３２，３２に跨って挿通配置されている。そしてボルト部材２４が一対の分割トラス１７，１７間に締結された際に、このフラットバー３５を介して表裏一対のボルト締着部材２３，２３が相互に連結されるようになっている。
【００２５】
ボルト部材２４は、例えば直径が１２〜２０ｍｍ程度の相当の太さを有している。これによって、ボルト部材２４は、一対の分割屋根ユニット２２，２２及び一対の分割トラス１７，１７が連結されて屋根ユニット２１及び屋根用トラス梁１３を形成し、両側の一対の壁構造１５の上に据付けられた際に、両側の支点間の中央部分に位置する節点部分１９，１９に相当の大きさの引張り曲げ応力が負荷されても、この曲げ応力による分割トラス１７，１７の連結状態を引離そうとする荷重に抵抗するのに十分な引張り強度を発揮することになる。
【００２６】
また、ボルト部材２４は、一対の分割トラス１７，１７の各節点部分１９，１９に固定されたボルト締着部材２３，２３の対面配置された中央締結フランジ部３３に跨るようにして、ボルト締結孔３８及びフラットバー３５のボルト締結孔に挿通され、フラットバー３５に締着支持された状態でボルト締結孔３８に締結される。ボルト部材２４は、下弦材１６を挟んだ両側に一対配置され、節点部分１９，１９の表側及び裏側の双方において一対のボルト締着部材２３，２３に跨って各ボルト部材２４を各々締上げることによって、並設配置された一対のトラス束材１８，１８を密着させると共に、一対の分割トラス１７，１７が強固に連結一体化されることになる。
【００２７】
さらに、ボルト部材２４には、中央締結フランジ部３３，３３の間に位置する部分に補助ナット３６が取付けられていて、ボルト部材２４がボルト締着部材２３，２３に締着された後、補助ナット３６を各中央締結フランジ部３３，３３に向けて締上げることにより、締着されたボルト部材２４に緩みが生じるのを効果的に防止して、強固な連結状態を保持できるようになっていると共に、引張り方向だけではなく、圧縮方向の軸力にも抵抗することができるようになっている。
【００２８】
なお、本実施形態によれば、添設固定プレート３１の端部から外側に飛び出して配置される、締結台座３２の中央締結フランジ部３３が位置する各節点部分１９の角部分は、矩形形状の切欠き部３７として切り欠かれており、当該切欠き部３７を介して、フラットバー３５の取付け作業やボルト部材２４の締結作業をスムーズに行うことができるようになっている。
【００２９】
そして、本実施形態によれば、分割トラス１７，１７が組込まれた分割屋根ユニット２２，２２は、予め工場等において効率良く且つ精度良く組立てられ、組立てられた分割屋根ユニット２２，２２は、搬送用のトラック等に積込まれて建築施工現場まで搬送される。ここで、分割屋根ユニット２２，２２は、接合一体化されて大スパンの屋根ユニット２１を形成し、一スパンで、安定した状態で屋根部分１０に架設設置されるものであるが、本実施形態によれば、屋根用トラス梁１３が組込まれる屋根ユニット２１は、分割トラス１７，１７が組込まれた分割屋根ユニット２２，２２に２分割されてコンパクトな形状で搬送されることになるので、その搬送作業に支障を来すことがない。
【００３０】
建築施工現場に搬送されてきた分割屋根ユニット２２，２２は、例えばクレーン等の吊上げ用の重機を用いて各々吊り上げられて、屋根ユニット２１及び屋根用トラス梁１３が据付けられる壁構造１５の上方に搬送され、この壁構造１５の上方において屋根ユニット２１として接合一体化されると共に、壁構造１５の上に据付けられる。すなわち、壁構造１５の上方に搬送された一対の分割屋根ユニット２２，２２は、下弦材１６，１６の節点部分１９，１９を接合金物２０を介して連結して、分割屋根ユニット２２，２２の前後両側に配置された各一対の分割屋根ユニット２２，２２を接合一体化することによって、一対の分割屋根ユニット２２，２２を接合一体化した後に、壁構造１５に両端を支持させて一体化した屋根ユニット２１を据付ける。また、各分割屋根ユニット２２，２２の片側端部を壁構造１５の上端に載せて支持させた状態で、両側の壁構造１５の中央で、他方の端部に位置する節点部分１９，１９の連結作業を行っても良い。
【００３１】
このように、一対の分割トラス１７，１７や一対の分割屋根ユニット２２，２２を、壁構造１５の上方で連結一体化して、屋根用トラス梁１３や屋根ユニット２１として屋根部分１０に据付けることができるので、これらを接合一体化するための作業ヤードを建築施工現場に設けることなく、また作業ヤードに一対の分割トラス１７，１７や一対の分割屋根ユニット２２，２２を仮置きする工程を必要とすることなく、工場等から搬送されてきた屋根用トラス梁１３や屋根ユニット２１を、直接に且つ迅速に屋根部分１０に据付けることが可能になる。
【００３２】
また、本実施形態によれば、接合金物２０のボルト締着部材２３，２３は、各節点部分１９，１９を挟んだ対称となる位置に表裏一対取付けられており、またボルト締着部材２３，２３がフラットバー３５を介して相互に連結されているので、接合一体化される当該節点部分１９，１９に生じる曲げモーメントを効果的に処理して、安定した状態で一対の分割トラス１７，１７を接合一体化することが可能になる。すなわち、例えばボルト締着部材２３が下弦材１６の一方の側面にのみ添設されてボルト部材２４が締結されている場合には、下弦材１６の軸力が接合金物２０に伝わる際に、ボルト部材２４による締結軸が下弦材１６の軸からオフセットされていることによって曲げモーメントをうまく処理できないことがある。
【００３３】
これに対して、本実施形態によれば、接合金物２０，２０は、下弦材１６の軸に対して対称となる位置に一対配置され、且つ表裏一対のボルト締着部材２３，２３がフラットバー３５を介して相互に連結されているので、下弦材１６の軸力が接合金物２０に伝わる際に、フラットバー３５が介在することによって、ボルト部材２４の締結軸が下弦材１６の軸からオフセットされていることによる回転力を生じることがなくなる。また、一対の接合金物２０，２０が下弦材１６の軸を挟んで対称となる位置に配置されるので、一対のボルト部材２４による締結方向と下弦材１６の軸方向とが合致して、安定した状態で一対の分割トラス１７，１７を接合一体化することが可能になる。
【００３４】
さらに、本実施形態によれば、表裏一対のボルト締着部材２３，２３は、添設固定プレート３１，３１を介して、二面せん断構造により下弦材１６，１６の各節点部分１９，１９に各々固定されているので、屋根用トラス梁１３の下弦材に負荷される数トン程度の相当の大きさの軸力に対しても強固に抵抗することが可能になると共に、一対の分割トラス１７，１７の下弦材１６，１６の各節点部分１９，１９は、ボルト部材２４を介して接合されているので、その間隔を自在に調整することも可能になる。
【００３５】
なお、一対の分割トラス１７，１７が接合一体化される際に、これらを引き離そうとする引張り荷重は、主として下弦材１６，１６の節点部分１９，１９の接合部に生じることになるなるため、当該節点部分１９，１９を接合金物２０を用いて強固に接合しておくことにより、安定した屋根用トラス梁１３や屋根ユニット２１が得られることになるが、例えば上弦材２８，２８の節点部分４０，４０にもまた接合用緊結金物４１を取付ることにより、また並設配置された一対のトラス束材１８，１８同士を合板ガセット等を用いて接合することにより、分割屋根ユニット２２，２２や分割トラス１７，１７をより安定した状態で接合一体化することが可能になる。
【００３６】
屋根用トラス梁１３や屋根ユニット２１が屋根部分１０に据付けられたら、引き続いて、他の屋根ユニットや、屋根下地材としての屋根パネル、屋根仕上げ材等の取付け作業が行われて、ユニット住宅の屋根部分１０の施工が完了することになる。
【００３７】
そして、本実施形態によれば、上述のように、搬送上の支障を来すことなく、予め形成した屋根用トラス梁１３やこれを組込んだ屋根ユニット２１を、建築施工現場において一スパンで安定した状態で且つ容易に屋根部分２０に架設設置することが可能になる。
【００３８】
なお、本発明は上記実施形態に限定されることなく種々の変更が可能である。例えば、屋根用トラス梁は、屋根ユニットに組込まれて屋根部分に据付けられる必要は必ずしもなく、工場等で組立てられた分割トラスを建築施工現場で接合一体化して、屋根用トラス梁を単独で据付けることもできる。また、本発明は、寄棟屋根に限定されることなく、棟を有するその他の種々の形状の屋根構造に採用することができ、また寄棟屋根の両端部分に配置される屋根用トラス梁や屋根ユニットに適用することもできる。この場合には、切頭三角形（例えば台形等）の正面形状を有する屋根用トラス梁を用いることもできる。さらに、接合金物として、ボルト締着部材とボルト部材とからなるもの以外の他の構造を有するものを用いることができ、一対の分割トラスや一対の分割屋根ユニットは、建築施工現場に設けた作業ヤード等において接合一体化した後に吊り上げて、屋根部分に据付けるようにしても良い。さらにまた、本発明は、ユニット住宅に限定されることなく適用することもできる。
【００３９】
【発明の効果】
本発明の屋根用トラス梁の据付構造及び据付方法によれば、搬送上の支障を来すことなく、予め形成した屋根用トラス梁やこれを組込んだ屋根ユニットを、建築施工現場において一スパンで安定した状態で且つ容易に屋根部分に架設設置することができる。
【図面の簡単な説明】
【図１】本発明の屋根用トラス梁の据付構造及び据付方法が採用される住宅建築物の一例を示す略示斜視図である。
【図２】本発明の屋根用トラス梁の据付構造を説明する正面図である。
【図３】（ａ）は接合金物によって一対の分割トラスを接合一体化する状態を示す部分正面図、（ｂ）は（ａ）をＡ−Ａから視た上面図である。
【図４】接合金物の取付状況を説明する斜視図である。
【符号の説明】
１０　屋根部分
１１　ユニット住宅
１２　棟
１３　屋根用トラス梁
１５　壁構造
１６　下弦材
１７　分割トラス
１８　トラス束材
１９　節点部分
２０　接合金物
２１　屋根ユニット
２２　　分割屋根ユニット
２３　ボルト締着部材
２４　ボルト部材
２８　上弦材
２９　トラス斜束材
３０　中間トラス束材
３１　添設固定プレート部
３２　締結台座
３３　中央締結フランジ部
３５　フラットバー（橋渡し部材）
３７　切欠き部
３８　ボルト締結孔
Ｘ　　垂線
【図１】
2004084353.tif 000003
【図２】
2004084353.tif 000004
【図３】
2004084353.tif 000005
【図４】
2004084353.tif 000006